(57)【要約】【課題】省スペース且つ低コストで複数の可動体の個別動作を実現可能な遊技機を提供する。【解決手段】第１可動体８２と第２可動体８３とを含む複数の可動体８２，８３を備えた遊技機で、正転方向及び逆転方向の駆動が可能な駆動手段８４と、駆動手段８４の駆動力を第１可動体８２に伝達する第１伝達機構８５と、駆動手段８４の駆動力を第２可動体８３に伝達する第２伝達機構８６と、第１回転部１０１と第２回転部９１との間に配置され且つ第１回転部１０１に対する第２回転部９１の二方向の相対回転のうちの一方を許容し他方を阻止するワンウェイクラッチ１０５とを備え、第２伝達機構８６にワンウェイクラッチ１０５を設ける。【選択図】図１６
2016214603.tif 000002
【特許請求の範囲】
【請求項１】
第１可動体と第２可動体とを含む複数の可動体を備えた
遊技機において、
正転方向及び逆転方向の駆動が可能な駆動手段と、
前記駆動手段の駆動力を前記第１可動体に伝達する第１伝達機構と、
前記駆動手段の駆動力を前記第２可動体に伝達する第２伝達機構と、
第１回転部と第２回転部との間に配置され且つ前記第１回転部に対する前記第２回転部の二方向の相対回転のうちの一方を許容し他方を阻止するワンウェイクラッチとを備え、
前記第２伝達機構に前記ワンウェイクラッチを設けた
ことを特徴とする遊技機。
【請求項２】
前記第２可動体は、第１状態と第２状態との間で往復移動可能で且つ付勢手段により前記第２状態側から前記第１状態側に向けて弾性付勢されており、
前記ワンウェイクラッチは、前記駆動手段の前記逆転方向の駆動を前記第２可動体側に伝達し、
前記駆動手段が前記逆転方向に作動した場合に前記第２可動体が前記付勢手段の付勢力に抗して前記第２状態に向けて動作する
ことを特徴とする請求項１に記載の遊技機。
【請求項３】
前記ワンウェイクラッチを介して前記第２伝達機構を前記第１伝達機構から分岐させた
ことを特徴とする請求項１又は２に記載の遊技機。
【請求項４】
前記第１伝達機構は第１可動体駆動軸を備え、
前記第２伝達機構は、前記第１可動体駆動軸と同軸の分岐ギヤを備え、
前記第１可動体駆動軸を前記第１回転部、前記分岐ギヤを前記第２回転部として前記第１可動体駆動軸と前記分岐ギヤとの間に前記ワンウェイクラッチを配置した
ことを特徴とする請求項３に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、モータやソレノイド等の駆動手段によって作動する演出用の可動体を搭載したものが主流となっている。また最近では、個別に作動可能な複数の可動体を搭載したものも多い（例えば特許文献１）。
【先行技術文献】
【特許文献】
【０００３】
【特許文献１】特開２０１１−８７６８２号公報
【発明の概要】
【発明が解決しようとする課題】
【０００４】
複数の可動体を個別に作動させる場合、従来は例えば可動体毎に駆動手段を設けていたためにコスト高となり、また大きな占有スペースが必要になる等の問題があった。
本発明は上記事情に鑑みてなされたものであり、省スペース且つ低コストで複数の可動体の個別動作を実現可能な遊技機を提供することを目的とする。
【課題を解決するための手段】
【０００５】
本発明は、第１可動体８２と第２可動体８３とを含む複数の可動体８２，８３を備えた遊技機において、正転方向及び逆転方向の駆動が可能な駆動手段８４と、前記駆動手段８４の駆動力を前記第１可動体８２に伝達する第１伝達機構８５と、前記駆動手段８４の駆動力を前記第２可動体８３に伝達する第２伝達機構８６と、第１回転部１０１と第２回転部９１との間に配置され且つ前記第１回転部１０１に対する前記第２回転部９１の二方向の相対回転のうちの一方を許容し他方を阻止するワンウェイクラッチ１０５とを備え、前記第２伝達機構８６に前記ワンウェイクラッチ１０５を設けたものである。
また、前記第２可動体８３は、第１状態と第２状態との間で往復移動可能で且つ付勢手段８７により前記第２状態側から前記第１状態側に向けて弾性付勢されており、前記ワンウェイクラッチ１０５は、前記駆動手段８４の前記逆転方向の駆動を前記第２可動体８３側に伝達し、前記駆動手段８４が前記逆転方向に作動した場合に前記第２可動体８３が前記付勢手段８７の付勢力に抗して前記第２状態に向けて動作するようにしてもよい。
また、前記ワンウェイクラッチ１０５を介して前記第２伝達機構８６を前記第１伝達機構８５から分岐させてもよい。この場合、前記第１伝達機構８５は第１可動体駆動軸９１を備え、前記第２伝達機構８６は、前記第１可動体駆動軸９１と同軸の分岐ギヤ１０１を備え、前記第１可動体駆動軸９１を前記第１回転部１０１、前記分岐ギヤ１０１を前記第２回転部９１として前記第１可動体駆動軸９１と前記分岐ギヤ１０１との間に前記ワンウェイクラッチ１０５を配置してもよい。
【発明の効果】
【０００６】
本発明によれば、省スペース且つ低コストで複数の可動体の個別動作を実現可能である。
【図面の簡単な説明】
【０００７】
【図１】本発明の第１の実施形態に係るパチンコ機の全体斜視図である。
【図２】同パチンコ機の遊技盤の正面図である。
【図３】同パチンコ機の裏ベース体の正面図である。
【図４】同パチンコ機の可動演出ユニットの正面図である。
【図５】同パチンコ機の可動演出ユニットの背面図である。
【図６】同パチンコ機の可動演出ユニットの分解斜視図である。
【図７】同パチンコ機の遊技盤の平面断面図である。
【図８】同パチンコ機の遊技盤の側面断面図である。
【図９】同パチンコ機のワンウェイクラッチの動作説明図である。
【図１０】同パチンコ機のワンウェイクラッチの動作説明図である。
【図１１】同パチンコ機の駆動手段が正転方向に作動する場合の第１，第２可動体の動作説明図である。
【図１２】同パチンコ機の駆動手段が逆転方向に作動する場合の第１，第２可動体の動作説明図である。
【図１３】本発明の第２の実施形態に係るパチンコ機の遊技盤の正面図である。
【図１４】同パチンコ機の裏ベース体の正面図である。
【図１５】同パチンコ機の可動演出ユニットの斜視図である。
【図１６】同パチンコ機の可動演出ユニットの分解斜視図である。
【図１７】同パチンコ機の可動演出ユニットの正面断面図である。
【図１８】同パチンコ機の遊技盤の平面断面図である。
【図１９】同パチンコ機の遊技盤の側面断面図である。
【図２０】同パチンコ機の可動演出ユニットの側面断面図である。
【図２１】同パチンコ機のワンウェイクラッチの動作説明図である。
【図２２】同パチンコ機の第２可動体が第１状態のときに駆動手段が正転方向に作動する場合の第１，第２可動体の動作説明図である。
【図２３】同パチンコ機の第２可動体が第１状態のときに駆動手段が逆転方向に作動する場合の第１，第２可動体の動作説明図である。
【図２４】同パチンコ機の第２可動体が第２状態のときに駆動手段が正転方向に作動する場合の第１，第２可動体の動作説明図である。
【図２５】本発明の第３の実施形態に係るパチンコ機の遊技盤の正面図である。
【図２６】同パチンコ機の裏ベース体の正面図である。
【図２７】同パチンコ機の可動演出ユニットの分解斜視図である。
【図２８】同パチンコ機の可動演出ユニットの装飾カバーを取り外した状態の正面図である。
【図２９】同パチンコ機の可動演出ユニットの平面断面図である。
【図３０】同パチンコ機の逆入力遮断クラッチの動作説明図である。
【発明を実施するための形態】
【０００８】
以下、本発明の実施形態を図面に基づいて詳述する。図１〜図１２は本発明をパチンコ機に採用した第１の実施形態を例示している。図１に示す遊技機本体１は、矩形状の外枠２と、この外枠２の前側にヒンジ３により縦軸廻りに開閉自在に枢着された前枠４とを備えている。
【０００９】
前枠４には、その上部側に遊技盤５（図２）が例えば前側から着脱自在に装着されている。また、前枠４の前側には、遊技盤５の前側に対応する第１前扉６と、この第１前扉６の下側に配置された第２前扉７とが、ヒンジ３と略同一軸心上のヒンジ８により縦軸廻りに開閉自在に枢支されている。なお、上下の第１前扉６と第２前扉７とを一体にして、一つの前扉とすることも可能である。
【００１０】
第２前扉７の前側には発射用の遊技球を貯留する球貯留皿９が配置され、その側方に、遊技球を発射する発射手段（図示省略）を作動させるための発射ハンドル１０が設けられている。第１前扉６には遊技盤５の遊技領域１１（図２参照）に対応するガラス窓１２が設けられ、遊技者はこのガラス窓１２を介して遊技領域１１内を視認可能である。
【００１１】
遊技盤５の前面側には、図２に示すように、発射手段から発射された遊技球を案内するガイドレール１３が環状に装着されると共に、そのガイドレール１３の内側の遊技領域１１に、中央表示ユニット１４、普通図柄始動手段１５、特別図柄始動手段１６、大入賞手段１７、普通入賞手段１８等の各種遊技部品が配置されている。
【００１２】
中央表示ユニット１４は、図２，図３に示すように、遊技盤５に形成された装着孔に対して前側から着脱自在に装着される前構造体２１と、後側に液晶表示ユニット等の画像表示手段２２が装着され且つ前構造体２１に対応して遊技盤５の裏側に着脱自在に装着される後構造体２３と、可動演出ユニット２４とを備えている。
【００１３】
前構造体２１は、画像表示手段２２の前側でその周囲を取り囲む枠状に形成されており、側部の入球口２５に入球した遊技球を自由に転動させて前側に落下させるステージ２６が画像表示手段２２の下部前側に配置される他、普通図柄表示手段２７、特別図柄表示手段２８等の各種表示手段が設けられている。また、ステージ２６の後側には、後側への遊技球の侵入を阻止するための区画壁２９が立設されている。
【００１４】
後構造体２３は、前側が開放した略箱形に形成され且つその背壁３１に画像表示手段２２の表示画面２２ａに対応する矩形状の表示窓３２が形成された裏ベース体３３と、この裏ベース体３３の前縁側から遊技盤５の背面に沿う鍔状に設けられた固定壁３４とを例えば一体に備え、背壁３１の後側に画像表示手段２２を装着した状態で、固定壁３４を遊技盤５の背面側に固定することにより遊技盤５に着脱自在に装着されている。なお、可動演出ユニット２４は裏ベース体３３内の例えば表示窓３２の下側に着脱自在に装着されている。
【００１５】
可動演出ユニット２４は、図２〜図８に示すように、第１可動体４１及び第２可動体４２と、それら第１可動体４１及び第２可動体４２を駆動する駆動手段４３と、駆動手段４３の駆動力を第１可動体４１に伝達する第１伝達機構４４と、駆動手段４３の駆動力を第２可動体４２に伝達する第２伝達機構４５と、それら第１可動体４１、第２可動体４２、駆動手段４３等を支持する支持フレーム４６とを備えている。第２可動体４２は、例えば左右一対の左第２可動体４２ａと右第２可動体４２ｂとで構成されている。
【００１６】
支持フレーム４６は、図４〜図６等に示すように、本体フレーム４７と、この本体フレーム４７に着脱自在に装着されるサブフレーム４８とで構成されている。本体フレーム４７は、駆動手段４３等が配置される中央配置部４９と、その中央配置部４９の左右両側における上部側に設けられ且つ夫々左第２可動体４２ａ、右第２可動体４２ｂが配置される一対の左配置部５０ａ及び右配置部５０ｂと、中央配置部４９の左右両側に配置され且つ中央配置部４９と左配置部５０ａ、中央配置部４９と右配置部５０ｂを一体に連結する連結部５１とを備え、例えば裏ベース体３３の背壁３１にネジ止め等により着脱自在に固定されている。
【００１７】
またサブフレーム４８は、後フレーム部５２と、この後フレーム部５２の前側に装着される前カバー部５３とで構成されている。後フレーム部５２は、図６，図８等に示すように第１可動体配置部５４とギヤ配置部５５とが上下に隣接して配置されており、ギヤ配置部５５が本体フレーム４７の中央配置部４９の上部前側に着脱自在に固定され、第１可動体配置部５４の前側に前カバー部５３が着脱自在に装着されている。
【００１８】
第１可動体４１は、例えば正面視ドーナツ型の略円盤状で、背面側には外歯ギヤ５６が一体に設けられ、前面側には任意の装飾が施されている。第１可動体配置部５４は、第１可動体４１に対応する正面視ドーナツ型で、その前面側に、第１可動体４１側の外歯ギヤ５６に噛合するガイドギヤ５７が周方向に略等間隔で複数（ここでは４つ）配置されると共に、第１可動体４１の背面側を摺動自在に支持する後ガイド部５８が例えば内縁部から前向きに突設されている。
【００１９】
また前カバー部５３は、第１可動体４１の前側に対応する例えば正面視ドーナツ型の前面板５９と、この前面板５９の外縁側から第１可動体４１の外周に沿って後向きに突設される周壁６０とを一体に備えている。前面板５９は例えば少なくとも一部が透明に形成されており、前側から第１可動体４１の少なくとも一部を視認可能となっている。また前カバー部５３には、第１可動体４１の前面側を摺動自在に支持する前ガイド部６１が例えば内縁部から後向きに突設されている。このように、第１可動体４１は、後ガイド部５８と前ガイド部６１との間で複数のガイドギヤ５７により前後方向の中心軸廻りに回転自在に支持されている。なお第１可動体４１は、図２，図８等に示すように、例えばその上部側が区画壁２９の後側に位置するように配置されており、例えば区画壁２９に形成された表示窓２９ａを介して前側から第１可動体４１の前面側の一部を視認可能となっている。
【００２０】
ギヤ配置部５５には、例えばその前側に、第１可動体４１の外歯ギヤ５６に例えば下側から噛合する第１可動体駆動ギヤ６２が配置されている。第１可動体駆動ギヤ６２は、中心部に後向き突出状のシャフト６２ａが固定されており、そのシャフト６２ａの先端側（後端側）をギヤ配置部５５の後側に貫通させた状態で、ギヤ配置部５５により回転自在に支持されている。これにより、第１可動体駆動ギヤ６２が回転すると、それに伴って第１可動体４１が回転する。
【００２１】
なお、例えばサブフレーム４８には、図６に示すように第１可動体４１の回転位置を検出する第１可動体検出手段６３が装着されている。第１可動体検出手段６３は、例えばフォトセンサにより構成されており、第１可動体４１が所定の原点位置にあるときに、例えば第１可動体４１の裏側に設けられた突起状の被検出部６３ａを検出するように配置されている。第１可動体４１の駆動に関する駆動手段４３の駆動制御は、第１可動体検出手段６３からの検出信号に基づいて行われる。
【００２２】
本体フレーム４７における左右の配置部５０ａ，５０ｂは、遊技盤５の盤面に略平行な板状に形成され、例えばその前側に、左第２可動体４２ａ，右第２可動体４２ｂが前後方向の回転軸６４廻りに揺動自在に支持されている。左第２可動体４２ａ及び右第２可動体４２ｂは、例えば配置部５０ａ，５０ｂと平行な略板状で、互いに左右対称に形成されており、回転軸６４に対して互いに異なる半径方向に延設された２つの第１アーム部６５及び第２アーム部６６と、第１アーム部６５の先端側に設けられた装飾部６７とを例えば一体に備えている。
【００２３】
第２アーム部６６の先端側には、その背面側にガイドピン６８が例えば一体に設けられており、また左右の配置部５０ａ，５０ｂには、回転軸６４を中心とする円弧状に形成されたガイド孔６９がガイドピン６８に対応して設けられている。左第２可動体４２ａ及び右第２可動体４２ｂは、ガイドピン６８がガイド孔６９に沿って移動することにより、第１状態と第２状態との間の可動範囲内で揺動可能となっている。左第２可動体４２ａ及び右第２可動体４２ｂは、第１状態のときに例えば装飾部６７の略全体が画像表示手段２２の外側に退避し（図２に点線で示す）、第２状態のときに装飾部６７の少なくとも一部が画像表示手段２２の前側に位置するようになっている（図２に二点鎖線で示す）。
【００２４】
本体フレーム４７の中央配置部４９の背面側には、図５〜図７等に示すように、左右一対の第２可動体駆動ギヤ７１ａ，７１ｂが、前後方向の回転軸７２廻りに回転自在に支持されており、左第２可動体４２ａ及び右第２可動体４２ｂは、連結棒３０ａ，３０ｂによりそれら第２可動体駆動ギヤ７１ａ，７１ｂと連結されている。即ち、連結棒３０ａ，３０ｂは、その一端側が左第２可動体４２ａ及び右第２可動体４２ｂのガイドピン６８に、他端側が第２可動体駆動ギヤ７１ａ，７１ｂの外周部近傍に設けられた連結部７３に、夫々前後方向の軸廻りに回動自在に連結されている。これにより、第２可動体駆動ギヤ７１ａ，７１ｂが回転すると、その回転運動が連結棒３０ａ，３０ｂを介して往復運動に変換され、左第２可動体４２ａ及び右第２可動体４２ｂが第１状態と第２状態との間で揺動する。
【００２５】
なお、例えば中央配置部４９には、図６に示すように第２可動体４２の揺動位置を検出する第２可動体検出手段７０が装着されている。第２可動体検出手段７０は、例えばフォトセンサにより構成されており、第２可動体４２が所定の原点位置（例えば第１状態）にあるときに、例えば第２可動体駆動ギヤ７１ａに設けられた突起状の被検出部７０ａを検出するように配置されている。もちろん、第２可動体４２に設けた被検出部７０ａを第２可動体検出手段７０により検出するようにしてもよい。第２可動体４２の駆動に関する駆動手段４３の駆動制御は、第２可動体検出手段７０からの検出信号に基づいて行われる。
【００２６】
中央配置部４９の前側には、図４，図６，図８等に示すように、例えばその下部側にステッピングモータ等よりなる駆動手段４３が、例えば駆動軸４３ａを後側に向けた状態で着脱自在に装着されており、その駆動軸４３ａには駆動ギヤ７４が固定されている。また、駆動ギヤ７４には、第１可動体中継ギヤ７５と第２可動体中継ギヤ７６とが夫々噛合している。なお、駆動手段４３は正逆両方向への駆動が可能であり、本実施形態では、駆動ギヤ７４を正面視反時計廻りに回転させる方向を正転方向、正面視時計廻りに回転させる方向を逆転方向という。
【００２７】
第１可動体中継ギヤ７５には、その中心部にリング状の第１ワンウェイクラッチ７７が固定されており、その第１ワンウェイクラッチ７７の中心孔に第１可動体駆動ギヤ６２のシャフト６２ａが前側から挿通されている。第１可動体中継ギヤ７５は、例えばギヤ配置部５５とその後側の本体フレーム４７との間に配置されている。
【００２８】
第１ワンウェイクラッチ７７は、その中心孔に挿通されたシャフト６２ａに対する二方向の相対回転のうちの一方（例えば正面視で反時計廻り）を許容し、他方（例えば正面視で時計廻り）を阻止するように構成されている。これにより、図９（ａ）に示すように第１可動体中継ギヤ（第１回転部）７５が正面視反時計廻りに回転する際にはその回転はシャフト（第２回転部）６２ａ側、即ち第１可動体駆動ギヤ６２には伝達されず、図９（ｂ）に示すように第１可動体中継ギヤ７５が正面視時計廻りに回転する際にはその回転がシャフト６２ａ側、即ち第１可動体駆動ギヤ６２に伝達される。
【００２９】
第２可動体中継ギヤ７６は、中心部に後向き突出状のシャフト７６ａが固定され、そのシャフト７６ａの先端側（後端側）を本体フレーム４７の後側に貫通させた状態で、中央配置部４９の前面側で回転自在に支持されている。中央配置部４９の背面側には、左右の第２可動体駆動ギヤ７１ａ，７１ｂのうちの例えば左側の第２可動体駆動ギヤ７１ａに噛合する振分ギヤ７８が配置されている。振分ギヤ７８には、その中心部にリング状の第２ワンウェイクラッチ７９が固定されており、その第２ワンウェイクラッチ７９の中心孔に、第２可動体中継ギヤ７６のシャフト７６ａが前側から挿通されている。また、振分ギヤ７８と右側の第２可動体駆動ギヤ７１ｂとの間には、それらを連動させるための連動ギヤ８０が前後方向の軸廻りに回転自在に支持されている。
【００３０】
第２ワンウェイクラッチ７９は、その中心孔に挿通されたシャフト７６ａに対する二方向の相対回転のうちの一方（例えば正面視で時計廻り）を許容し、他方（例えば正面視で反時計廻り）を阻止するように構成されている。これにより、図１０（ａ）に示すように第２可動体中継ギヤ７６側のシャフト（第１回転部）７６ａが正面視時計廻りに回転する際にはその回転は振分ギヤ（第２回転部）７８には伝達されず、図１０（ｂ）に示すように第２可動体中継ギヤ７６側のシャフト７６ａが正面視反時計廻りに回転する際にはその回転が振分ギヤ７８に伝達される。
【００３１】
なお、駆動ギヤ７４、第１可動体中継ギヤ７５、第１ワンウェイクラッチ７７、第１可動体駆動ギヤ６２等が第１伝達機構４４を構成し、駆動ギヤ７４、第２可動体中継ギヤ７６、第２ワンウェイクラッチ７９、振分ギヤ７８、連動ギヤ８０、第２可動体駆動ギヤ７１ａ，７１ｂ、連結棒３０ａ，３０ｂ等が第２伝達機構４５を構成している。
【００３２】
以上のような可動演出ユニット２４では、駆動手段４３が正転方向に作動すると、図１１に示すように、駆動ギヤ７４が正面視反時計廻りに、第１可動体中継ギヤ７５及び第２可動体中継ギヤ７６が正面視時計廻りに夫々回転する。このとき、第１可動体中継ギヤ７５の正面視時計廻りの回転は、図１１（ａ）に示すように第１ワンウェイクラッチ７７により第１可動体駆動ギヤ６２に伝達されるため、第１可動体駆動ギヤ６２も第１可動体中継ギヤ７５と共に正面視時計廻りに回転し、それによって第１可動体４１は正面視反時計廻りに回転する。
【００３３】
一方、第２可動体中継ギヤ７６の正面視時計廻りの回転は、図１１（ｂ）に示すように第２可動体中継ギヤ７６のシャフト７６ａが第２ワンウェイクラッチ７９により振分ギヤ７８に対して空転することにより振分ギヤ７８には伝達されず、従って左右の第２可動体４２ａ，４２ｂは動作しない。このように、駆動手段４３を正転方向に作動させた場合には、第１可動体４１と第２可動体４２とのうちの第１可動体４１のみが動作する。
【００３４】
また、駆動手段４３が逆転方向に作動すると、図１２に示すように、駆動ギヤ７４が正面視時計廻りに、第１可動体中継ギヤ７５及び第２可動体中継ギヤ７６が正面視反時計廻りに夫々回転する。このとき、第２可動体中継ギヤ７６の正面視反時計廻りの回転は、図１２（ｂ）に示すように第２ワンウェイクラッチ７９により振分ギヤ７８に伝達されるため、振分ギヤ７８も第２可動体中継ギヤ７６と共に正面視反時計廻りに回転する。またそれによって左側の第２可動体駆動ギヤ７１ａが正面視時計廻りに回転し、更に連動ギヤ８０を介して右側の第２可動体駆動ギヤ７１ｂが正面視反時計廻りに回転するため、連結棒３０ａ，３０ｂを介して左右の第２可動体４２ａ，４２ｂが第１状態と第２状態との間で揺動する。
【００３５】
一方、第１可動体中継ギヤ７５の正面視反時計廻りの回転は、図１２（ａ）に示すように第１可動体駆動ギヤ６２のシャフト６２ａが第１ワンウェイクラッチ７７により第１可動体中継ギヤ７５に対して空転することにより第１可動体駆動ギヤ６２には伝達されず、従って第１可動体４１は動作しない。このように、駆動手段４３を逆転方向に作動させた場合には、第１可動体４１と第２可動体４２とのうちの第２可動体４２のみが動作する。
【００３６】
以上説明したように、本実施形態のパチンコ機では、正転方向及び逆転方向の駆動が可能な駆動手段４３と、駆動手段４３の駆動力を第１可動体４１に伝達する第１伝達機構４４と、駆動手段４３の駆動力を第２可動体４２に伝達する第２伝達機構４５と、第１回転部７５，７６ａと第２回転部６２ａ，７８との間に配置され且つ第１回転部７５，７６ａに対する第２回転部６２ａ，７８の二方向の相対回転のうちの一方を許容し他方を阻止するワンウェイクラッチ７７，７９とを備え、ワンウェイクラッチ７７，７９は、第１伝達機構４４に配置される第１ワンウェイクラッチ７７と、第２伝達機構４５に配置される第２ワンウェイクラッチ７９とを含んでいるため、省スペース且つ低コストで複数の可動体４１，４２の個別動作を実現可能である。
【００３７】
図１３〜図２４は本発明の第２の実施形態を例示し、１つの駆動手段と１つのワンウェイクラッチとを用いて２つの可動体を個別に動作させるように構成した例を示している。本実施形態のパチンコ機では、第１の実施形態の可動演出ユニット２４に代えて可動演出ユニット８１を搭載している。
【００３８】
可動演出ユニット８１は、図１３〜図１６等に示すように、第１可動体８２及び第２可動体８３と、それら第１可動体８２及び第２可動体８３を駆動する駆動手段８４と、駆動手段８４の駆動力を第１可動体８２に伝達する第１伝達機構８５と、駆動手段８４の駆動力を第２可動体８３に伝達する第２伝達機構８６と、第２可動体８３を弾性付勢するバネ部材８７と、それら第１可動体８２、第２可動体８３、駆動手段８４等を支持する本体ケース８８とを備え、裏ベース体３３内の例えば表示窓３２の上側に装着されている。
【００３９】
本体ケース８８は、図１５，図１６等に示すように、例えばベース体８９とその前側に着脱自在に装着されるカバー体９０とで扁平箱形に形成され、例えばその右端側に第１可動体駆動軸９１が、左端側に第２可動体駆動軸９２が、内部から前側に向けて回転自在に突出しており、第１可動体駆動軸９１の前端側に第１可動体８２が、第２可動体駆動軸９２の前端側に第２可動体８３が夫々固定されている。
【００４０】
第１可動体８２は、例えば第１可動体駆動軸９１を中心とする略円盤状で、その前面側に任意の装飾が施されている。第２可動体８３は、第２可動体駆動軸９２から例えば本体ケース８８の長手方向（左右方向）の一方側（例えば右側）に突出する細長状で、その表面に任意の装飾が施されている。
【００４１】
本体ケース８８のベース体８９は、図１６等に示すように、遊技盤５に略平行な例えば横長略矩形状のベース板９３を備え、図１８，図１９等に示すように裏ベース体３３の背壁３１にネジ止め等により固定されている。ベース板９３の前面側には、駆動手段装着領域９４とギヤ配置領域９５とが形成され、内嵌合壁９６がギヤ配置領域９５の周囲を略取り囲むように前向きに突設されている。
【００４２】
ベース体８９の前側の駆動手段装着領域９４には、図１６，図１９等に示すように、ステッピングモータ等よりなる駆動手段８４が、例えばその駆動軸８４ａをベース板９３の後側に貫通させた状態で着脱自在に固定されている。ベース体８９の例えば後側には、駆動手段８４の駆動軸８４ａに固定される駆動ギヤ９７と、この駆動ギヤ９７に噛合する第１可動体駆動ギヤ９８とが配置されている。第１可動体駆動ギヤ９８は、本体ケース８８の後側に突出する第１可動体駆動軸９１の後端側に固定されている。即ち、第１可動体駆動ギヤ９８が回転すると、それに伴って第１可動体駆動軸９１を介して第１可動体８２が回転する。なお、駆動手段８４は正逆両方向への駆動が可能であり、本実施形態では、駆動ギヤ９７を正面視反時計廻りに回転させる方向を正転方向、正面視時計廻りに回転させる方向を逆転方向という。
【００４３】
本体ケース８８のカバー体９０は、ベース体８９の前側のギヤ配置領域９５を前側から略覆うもので、図１６等に示すように、ベース板９３に平行な前面板９９と、この前面板９９の外縁側から後向きに突設され且つベース体８９側の内嵌合壁９６の外側に嵌合する外嵌合壁１００とを一体に備えている。
【００４４】
本体ケース８８内のギヤ配置領域９５には、図１６〜図１８等に示すように、第１可動体駆動軸９１に対して分岐第１ギヤ（分岐ギヤ）１０１が、第２可動体駆動軸９２に対して第２可動体駆動ギヤ１０２が夫々配置されると共に、それら分岐第１ギヤ１０１と第２可動体駆動ギヤ１０２とを連結する一又は複数、例えば２つの分岐第２ギヤ１０３、分岐第３ギヤ１０４が前後方向の軸廻りに回転自在に支持されている。
【００４５】
分岐第１ギヤ（第１回転部）１０１には、図１６〜図１９等に示すようにその中心部にリング状のワンウェイクラッチ１０５が固定されており、そのワンウェイクラッチ１０５の中心孔に第１可動体駆動軸（第２回転部）９１が挿通されている。ワンウェイクラッチ１０５は、その中心孔に挿通された第１可動体駆動軸９１に対する二方向の相対回転のうちの一方（例えば正面視で反時計廻り）を許容し、他方（例えば正面視で時計廻り）を阻止するように構成されている。これにより、図２１（ａ）に示すように第１可動体駆動軸９１が正面視時計廻りに回転する際にはその回転は分岐第１ギヤ１０１には伝達されず、図２１（ｂ）に示すように第１可動体駆動軸９１が正面視反時計廻りに回転する際にはその回転が分岐第１ギヤ１０１に伝達される。
【００４６】
第２可動体駆動ギヤ１０２は、図１６〜図１８，図２０等に示すように、第２可動体駆動軸９２の後端側に固定されている。即ち、第２可動体駆動ギヤ１０２と第２可動体８３とは第２可動体駆動軸９２を介してその第２可動体駆動軸９２廻りに一体的に回転するようになっている。
【００４７】
第２可動体８３は、図示しないストッパー等により、その可動範囲が、第２可動体駆動軸９２に対して略水平となる第１状態（図１３に破線で示す）と、第２可動体駆動軸９２に対して下向きとなる第２状態（図１３に二点鎖線で示す）との間の略９０度の範囲に制限されており、またバネ部材（付勢手段）８７により、第２状態側から原点位置である第１状態側に向けて弾性付勢されている。バネ部材８７は、例えばねじりコイルバネにより構成され、そのコイル部に第２可動体駆動軸９２が挿通されると共に、一端部８７ａが本体ケース８８側に、他端部８７ｂが第２可動体８３側に夫々固定されている。
【００４８】
また例えば本体ケース８８には、図１６に示すように、第１可動体８２の回転位置を検出するフォトセンサ等よりなる第１可動体検出手段１０６と、第２可動体８３の揺動位置を検出する同じくフォトセンサ等よりなる第２可動体検出手段１０７とが装着されている。第１可動体検出手段１０６は、第１可動体８２が所定の原点位置にあるときに、例えば第１可動体８２の裏側に設けられた突起状の被検出部１０６ａを検出するように配置され、また第２可動体検出手段１０７は、第２可動体８３が原点位置（例えば第１状態）にあるときに、例えば第２可動体８３の裏側に設けられた突起状の被検出部１０７ａを検出するように配置されている。第１可動体８２，第２可動体８３の駆動に関する駆動手段４３の駆動制御は、第１可動体検出手段１０６，第２可動体検出手段１０７からの検出信号に基づいて行われる。
【００４９】
なお、駆動ギヤ９７、第１可動体駆動ギヤ９８、第１可動体駆動軸９１等が第１伝達機構８５を構成し、ワンウェイクラッチ１０５、分岐第１ギヤ１０１、分岐第２ギヤ１０３、分岐第３ギヤ１０４、第２可動体駆動ギヤ１０２、第２可動体駆動軸９２等が第２伝達機構８６を構成している。
【００５０】
以上のような可動演出ユニット８１では、第２可動体８３が第１状態（図１３に破線で示す）に保持されているときに駆動手段８４が正転方向に作動すると、図２２に示すように、駆動ギヤ９７が正面視反時計廻りに、第１可動体駆動ギヤ９８が正面視時計廻りに夫々回転し、第１可動体駆動軸９１を介して第１可動体８２が正面視時計廻りに回転する。このとき、ワンウェイクラッチ１０５により、分岐第１ギヤ１０１に対して第１可動体駆動軸９１が空転するため、第１可動体駆動軸９１の駆動力は分岐第１ギヤ１０１側には伝達されず、従って第２可動体８３はバネ部材８７によって第１状態に保持されたままとなる。このように第２可動体８３が第１状態に保持されているときに駆動手段８４を正転方向に作動させた場合には、第１可動体８２と第２可動体８３とのうちの第１可動体８２のみが動作する。なお、第１可動体８２は可動範囲に制限がないため、駆動手段８４の正転方向への駆動ステップ数にも制限はない。
【００５１】
一方、駆動手段８４が逆転方向に作動すると、図２３に示すように、駆動ギヤ９７が正面視時計廻りに、第１可動体駆動ギヤ９８が正面視反時計廻りに夫々回転し、第１可動体駆動軸９１を介して第１可動体８２が正面視反時計廻りに回転する。このとき、ワンウェイクラッチ１０５により、第１可動体駆動軸９１の正面視反時計廻りの回転が分岐第１ギヤ１０１に伝達されるため、分岐第２ギヤ１０３、分岐第３ギヤ１０４を介して第２可動体駆動ギヤ１０２が時計廻りに回転する。そして、第２可動体駆動軸９２を介して第２可動体８３がバネ部材８７の付勢力に抗して正面視時計廻りに回転し、例えば第２状態（図１３に二点鎖線で示す）に達した時点で駆動手段８４の逆転方向への駆動は停止される。このように、駆動手段８４を逆転方向に作動させた場合には、第１可動体８２と第２可動体８３とが共に動作する。
【００５２】
また、第２可動体８３が第２状態にあるときに駆動手段８４が正転方向に作動すると、図２４に示すように、第２可動体８３が第１状態にあるとき（図２２）と同様、駆動ギヤ９７が正面視反時計廻りに、第１可動体駆動ギヤ９８が正面視時計廻りに夫々回転し、第１可動体駆動軸９１を介して第１可動体８２が正面視時計廻りに回転する。一方、第２可動体８３は、バネ部材８７によって第１状態側、即ち正面視反時計廻りに弾性付勢されている。この付勢力は、第２可動体駆動軸９２、第２可動体駆動ギヤ１０２、分岐第３ギヤ１０４、分岐第２ギヤ１０３を経て分岐第１ギヤ１０１を正面視時計廻りに回転させようとする。
【００５３】
しかしながら、分岐第１ギヤ１０１にはワンウェイクラッチ１０５を介して第１可動体駆動軸９１が挿通されているため、分岐第１ギヤ１０１は第１可動体駆動軸９１に対して正面視時計廻りに相対回転することができない。従って、分岐第１ギヤ１０１の正面視時計廻りの回転は第１可動体駆動軸９１の正面視時計廻りの回転を追い越すことができず、分岐第１ギヤ１０１は、第２可動体８３が第１状態に達するまで第１可動体駆動軸９１に追従する形で正面視時計廻りに回転する。このように、第２可動体８３が第２状態（図２４に実線で示す）にあるときに駆動手段８４を正転方向に作動させた場合には、第２可動体８３が第１状態（図２４に二点鎖線で示す）に達するまでは第１可動体８２と共にその第１可動体８２と同期して第２可動体８３が動作し、第２可動体８３が第１状態に達した後は第１可動体８２のみが引き続き動作する。
【００５４】
以上説明したように、本実施形態のパチンコ機では、正転方向及び逆転方向の駆動が可能な駆動手段８４と、駆動手段８４の駆動力を第１可動体８２に伝達する第１伝達機構８５と、駆動手段８４の駆動力を第２可動体８３に伝達する第２伝達機構８６と、第１回転部１０１と第２回転部９１との間に配置され且つ第１回転部１０１に対する第２回転部９１の二方向の相対回転のうちの一方を許容し他方を阻止するワンウェイクラッチ１０５とを備え、第２伝達機構８６にワンウェイクラッチ１０５を設けているため、省スペース且つ低コストで複数の可動体８２，８３の個別動作を実現可能である。
【００５５】
図２５〜図３０は本発明の第３の実施形態を例示し、駆動手段の駆動力を可動体に伝達するための伝達機構に、逆入力遮断クラッチを配置した例を示している。本実施形態のパチンコ機では、第１の実施形態の可動演出ユニット２４、第２の実施形態の可動演出ユニット８１に代えて可動演出ユニット１１１を搭載している。
【００５６】
可動演出ユニット１１１は、図２５〜図２８等に示すように、可動体１１２と、駆動手段１１３と、駆動手段１１３の駆動力を可動体１１２に伝達する伝達機構１１４と、それら可動体１１２、駆動手段１１３等を支持する支持ベース体１１５とを備え、裏ベース体３３内の例えば表示窓３２の上側に装着されている。
【００５７】
支持ベース体１１５は、図２７〜図２９等に示すように、平板状のベース板１１６と、このベース板１１６の前面側に網の目状に配設された補強リブ１１７とを一体に備え、裏ベース体３３の背壁３１にネジ止め等により着脱自在に固定されており、例えば左端側に回転軸１１８が、右端側にガイド孔１１９が、それら回転軸１１８とガイド孔１１９との中間部分に駆動手段１１３が夫々配置されている。
【００５８】
回転軸１１８は、支持ベース体１１５から前向きに突設されており、その前端側に可動体１１２が回転自在に支持されている。ガイド孔１１９は、可動体１１２の揺動動作を所定の可動範囲に規制するもので、回転軸１１８を中心とする周方向の長孔状に形成され、可動体１１２側のガイドピン１１９ａが前側から挿入されている。可動体１１２は、ガイドピン１１９ａがガイド孔１１９に沿って移動することにより、第１状態（図２５に実線で示す）とそれよりも下側の第２状態（図２５に二点鎖線で示す）との間の可動範囲内で揺動可能となっている。
【００５９】
駆動手段１１３は、例えばステッピングモータにより構成されており、図２９に示すように駆動軸１１３ａを前側に向けた状態で例えば支持ベース体１１５の後側に着脱自在に固定されており、その駆動軸１１３ａに駆動ギヤ１２０が固定されている。また、例えば駆動手段１１３の近傍には、逆入力遮断クラッチ１２１が、入力軸１２１ａを後向きに、出力軸１２１ｂを前向きにした状態で例えば支持ベース体１１５の後側に着脱自在に固定されている。逆入力遮断クラッチ１２１の入力軸１２１ａには、駆動ギヤ１２０に噛合する入力側中継ギヤ１２２が固定されている。また、逆入力遮断クラッチ１２１の出力軸１２１ｂは、支持ベース体１１５を前向きに貫通しており、その先端部には支持ベース体１１５の前側で出力側中継ギヤ１２３が固定されている。
【００６０】
逆入力遮断クラッチ１２１は、入力軸（第１回転部）１２１ａ側から出力軸（第２回転部）１２１ｂ側への回転力の伝達を許容し且つ出力軸１２１ｂ側から入力軸１２１ａ側への回転力の伝達を遮断するように構成されている。これにより、駆動手段１１３の駆動による回転力は逆入力遮断クラッチ１２１を介して出力側中継ギヤ１２３側に伝達されるが、出力側中継ギヤ１２３側で発生した回転力は逆入力遮断クラッチ１２１で遮断され、駆動手段１１３側には伝達されない。なお、駆動手段１１３は正逆両方向への駆動が可能であり、本実施形態では、駆動ギヤ１２０を正面視時計廻りに回転させる方向を正転方向、正面視反時計廻りに回転させる方向を逆転方向という。
【００６１】
また、支持ベース体１１５の前面側には、図２７〜図２９に示すように可動体１１２の位置を検出する可動体検出手段１２４が装着されている。可動体検出手段１２４は、例えばフォトセンサにより構成されており、可動体１１２が所定の原点位置（ここでは第１状態）にあるときに、例えば可動体１１２の裏側に設けられた突起状の被検出部１２４ａを検出するように配置されている。可動体１１２の駆動に関する駆動手段１１３の駆動制御は、可動体検出手段１２４からの検出信号に基づいて行われる。
【００６２】
可動体１１２は、図２７〜図２９等に示すように、回転軸１１８の前端側に回転自在に装着される可動ベース体１２５と、この可動ベース体１２５の前側に装着される装飾カバー１２６とで構成されている。可動ベース体１２５は、回転軸１１８を中心とする正面視略扇形状に形成された平板状のベース板１２７と、このベース板１２７の前後両面側に突設するように網の目状に配設された補強リブ１２８と、ベース板１２７の裏側に回転軸１１８を中心とする円弧状に配置され且つ出力側中継ギヤ１２３が噛合する外歯ギヤ１２９と、被検出部１２４ａとを例えば一体に備えている。これにより、可動体１１２は、駆動手段１１３が正転方向に作動したときに第１状態から第２状態に向けて下向きに揺動し、駆動手段１１３が逆転方向に作動したときに第２状態から第１状態に向けて上向きに揺動する。
【００６３】
装飾カバー１２６は、可動ベース体１２５に対して前側から装着される装着部１３０と、この装着部１３０に対して回転軸１１８の半径方向外側に配置される装飾部１３１と、それら装着部１３０と装飾部１３１とを接続するアーム部１３２とを例えば一体に備えており、例えばアーム部１３２の裏側にガイドピン１１９ａが突設されている。装飾部１３１は、例えば動物等をモチーフにした造形物で、本実施形態ではイルカの形状に形成されている。
【００６４】
なお、可動体１１２は、第１状態（原点位置）のときに装飾部１３１の略全体が画像表示手段２２の外側に退避し（図２５に実線で示す）、第２状態のときに装飾部１３１の少なくとも一部が画像表示手段２２の前側に位置するようになっている（図２５に二点鎖線で示す）。また、駆動ギヤ１２０、入力側中継ギヤ１２２、逆入力遮断クラッチ１２１、出力側中継ギヤ１２３、外歯ギヤ１２９等が伝達機構１１４を構成している。
【００６５】
以上のような可動演出ユニット１１１では、例えば可動体１１２が第１状態（原点位置）にあるときに駆動手段１１３が正転方向に所定ステップ数作動すると、駆動ギヤ１２０が正面視時計廻りに回転することにより、図３０（ａ）に示すように入力側中継ギヤ１２２が正面視反時計廻りに回転し、逆入力遮断クラッチ１２１を介して出力側中継ギヤ１２３が正面視反時計廻りに回転するため、外歯ギヤ１２９を介して可動体１１２が下向きに揺動した後、例えば第２状態に達したところで停止する。このとき、図３０（ｂ）に示すように可動体１１２側で発生した回転力は逆入力遮断クラッチ１２１により遮断され、駆動手段１１３側には伝達されないため、例えば可動体１１２を急停止させたような場合でも、反動によるバウンド動作等は抑制される。
【００６６】
また、例えば可動体１１２が第２状態にあるときに駆動手段１１３が逆転方向に所定ステップ数作動すると、駆動ギヤ１２０が正面視反時計廻りに回転することにより、図３０（ａ）に示すように入力側中継ギヤ１２２が正面視時計廻りに回転し、逆入力遮断クラッチ１２１を介して出力側中継ギヤ１２３が正面視時計廻りに回転するため、外歯ギヤ１２９を介して可動体１１２が上向きに揺動した後、例えば第１状態（原点位置）に達したところで停止する。そして、図３０（ｂ）に示すように可動体１１２側で発生した回転力は逆入力遮断クラッチ１２１により遮断され、駆動手段１１３側には伝達されないため、その後の可動体１１２は自重等により降下することなく第１状態に保持される。
【００６７】
このように、伝達機構１１４に逆入力遮断クラッチ１２１を設けることにより、駆動手段１１３が作動していない状態では、可動体１１２側の動作を阻止することができ、低コスト且つ省スペースで可動体１１２の自重等による動作を阻止できる。
【００６８】
以上、本発明の実施形態について詳述したが、本発明はこれらの実施形態に限定されるものではなく、本発明の趣旨を逸脱しない範囲で種々の変更が可能である。例えば、第３の実施形態の可動演出ユニット１１１は、可動体１１２を回転軸１１８廻りに揺動可能とし、駆動手段１１３の駆動により回転する入力側中継ギヤ１２２と、可動体１１２の外歯ギヤ１２９に噛合する出力側中継ギヤ１２３との間に逆入力遮断クラッチ１２１を設けた例を示したが、これに限られるものではなく、逆入力遮断クラッチの入力軸を駆動手段側に、逆入力遮断クラッチの出力軸を可動体側に夫々連結すればよい。例えば、可動体を上下方向に平行移動可能とし、駆動手段の駆動により回転する駆動ギヤと、可動体が固定された無端状の駆動ベルトを駆動する駆動ローラとの間に逆入力遮断クラッチを配置してもよい。
【００６９】
また、逆入力遮断クラッチ１２１を設ける場合の可動体は上下方向に動作するものに限られるものではなく、水平方向に平行移動するもの、左右に揺動するもの、前後方向，上下方向等の軸廻りに回転するもの等であってもよい。例えば、第１の実施形態における第１伝達機構４４、第２伝達機構４５に逆入力遮断クラッチを配置してもよいし、第２の実施形態における第１伝達機構８５、第２伝達機構８６に逆入力遮断クラッチを配置してもよい。
【００７０】
また本発明は、パチンコ機に限らず、アレンジボール機、雀球遊技機、スロットマシン等の各種遊技機において同様に実施することが可能である。
【符号の説明】
【００７１】
８２  第１可動体
８３  第２可動体
８４  駆動手段
８５  第１伝達機構
８６  第２伝達機構
８７  バネ部材（付勢手段）
９１  第１可動体駆動軸（第２回転部）
１０１  分岐第１ギヤ（第１回転部）
１０５  ワンウェイクラッチ
【図１】
2016214603.tif 000003
【図２】
2016214603.tif 000004
【図３】
2016214603.tif 000005
【図４】
2016214603.tif 000006
【図５】
2016214603.tif 000007
【図６】
2016214603.tif 000008
【図７】
2016214603.tif 000009
【図８】
2016214603.tif 000010
【図９】
2016214603.tif 000011
【図１０】
2016214603.tif 000012
【図１１】
2016214603.tif 000013
【図１２】
2016214603.tif 000014
【図１３】
2016214603.tif 000015
【図１４】
2016214603.tif 000016
【図１５】
2016214603.tif 000017
【図１６】
2016214603.tif 000018
【図１７】
2016214603.tif 000019
【図１８】
2016214603.tif 000020
【図１９】
2016214603.tif 000021
【図２０】
2016214603.tif 000022
【図２１】
2016214603.tif 000023
【図２２】
2016214603.tif 000024
【図２３】
2016214603.tif 000025
【図２４】
2016214603.tif 000026
【図２５】
2016214603.tif 000027
【図２６】
2016214603.tif 000028
【図２７】
2016214603.tif 000029
【図２８】
2016214603.tif 000030
【図２９】
2016214603.tif 000031
【図３０】
2016214603.tif 000032